(57)【要約】 【課題】剛性の高い左右の側板を有し且つ上下板と接合するためのフランジ部材を設ける必要のない遊技機の外枠を提供する。【解決手段】上板、下板と、左右の金属製の側板３、４とからなる遊技機の外枠において、側板３、４は、コの字状に折り曲げて形成した主板５と、コの字状に折り曲げて形成されて主板５と合体される副板６とからなり、前記主板５には全長に渡る凹溝部５２を設け、副板６をこの凹溝部５２より幅広に形成して、凹溝部５２を覆って副板６を主板５に当接させたうえに、主板５と副板６との境界を溶接にて接合する。この発明において、副板６又は主板５を斜め切断面６２で上下に２分割して、主板５の折り曲げ部５１と副板６の折り曲げ部６１との間に寸法変動による隙間が生ずるのを防止することができる。【選択図】  図３
2012200372.tif 000002
【特許請求の範囲】
【請求項１】
上板、下板と、左右の金属製の側板とからなる遊技機の外枠において、
前記側板は、コの字状に折り曲げて形成した主板と、コの字状に折り曲げて形成されて主板と合体される副板とからなり、
前記主板には全長に渡る凹溝部を設け、副板をこの凹溝部より幅広に形成して、凹溝部を覆って副板を主板に当接させたうえに、主板と副板との境界を溶接にて接合したことを特徴とする遊技機の外枠。
【請求項２】
副板を斜めに切断して上下に２分割して、合体された主板の折り曲げ部と副板の折り曲げ部との間に寸法変動による隙間が生ずるのを防止したことを特徴とする請求項１に記載の遊技機の外枠。
【請求項３】
上板、下板と、左右の金属製の側板とからなる遊技機の外枠において、
前記側板は、コの字状に折り曲げて形成した主板と、コの字状に折り曲げて形成されて主板と合体される副板とからなり、
前記副板には全長に渡る凹溝部を設け、主板をこの副板より幅広に形成して、凹溝部を覆って主板を副板に当接させたうえに、主板と副板との境界を溶接にて接合したことを特徴とする遊技機の外枠。
【請求項４】
主板を斜めに切断して上下に２分割して、合体された主板の折り曲げ部と副板の折り曲げ部との間に寸法変動による隙間が生ずるのを防止したことを特徴とする請求項３に記載の遊技機の外枠。
【発明の詳細な説明】
【技術分野】
【０００１】
本発明は、パチンコ機などの遊技機を構成する外枠に関するものである。
【背景技術】
【０００２】
遊技機の外枠は、上板、下板と左右の側板とで囲まれた矩形の枠であり、上板、下板の内側から釘などを使って島設備に固定するために、上板、下板は通常木製となっている。さらに左右の側板も木製であって、金属製のフランジ部材を隅に配置して上下板と左右の側板とを固定して形成されたものが従来から主として用いられてきた（特許文献１、２）。また、近年は軽量化及び左右の省スペース化等の目的で、左右の側板を金属製としたものも見受けられるようになった。
【０００３】
しかしながら、従来のものにおいては、側板が薄板状の金属製のものであったり（特許文献３）、木製の左右の側板に金属製の補強板を固定したものであったり（特許文献４）するため、際立った剛性の向上を見込めるものではなかった。さらにこれらにおいては、上下板と接合するためにフランジ部材を別途設ける必要があった。
【先行技術文献】
【特許文献】
【０００４】
【特許文献１】特開平０９−１７３５６６号公報
【特許文献２】特開２００９−１３１５３２号公報
【特許文献３】特開２００５−０８７５７８号公報
【特許文献４】特開２００９−２９１５８６号公報
【発明の概要】
【発明が解決しようとする課題】
【０００５】
本発明は、上記した従来の問題点に鑑み、剛性の高い左右の側板を有し且つ上下板と接合するためのフランジ部材を設ける必要のない遊技機の外枠を提供することを課題とする。
【課題を解決するための手段】
【０００６】
上記の課題を解決するためになされた本発明の遊技機の外枠は、上板、下板と、左右の金属製の側板とからなる遊技機の外枠において、
前記側板は、コの字状に折り曲げて形成した主板と、コの字状に折り曲げて形成されて主板と合体される副板とからなり、
前記主板には全長に渡る凹溝部を設け、副板をこの凹溝部より幅広に形成して、凹溝部を覆って副板を主板に当接させたうえに、主板と副板との境界を溶接にて接合したことを特徴とするものである。
【０００７】
上記した発明において、副板を斜めに切断して上下に２分割して、合体された主板の折り曲げ部と副板の折り曲げ部との間に寸法変動による隙間が生ずるのを防止することができる。
【０００８】
また、本発明の遊技機の外枠は、上板、下板と、左右の金属製の側板とからなる遊技機の外枠において、
前記側板は、コの字状に折り曲げて形成した主板と、コの字状に折り曲げて形成されて主板と合体される副板とからなり、
前記副板には全長に渡る凹溝部を設け、主板をこの副板より幅広に形成して、凹溝部を覆って主板を副板に当接させたうえに、主板と副板との境界を溶接にて接合したことを特徴とする者である。
【０００９】
上記した発明において、主板を斜めに切断して上下に２分割して、合体された主板の折り曲げ部と副板の折り曲げ部との間に寸法変動による隙間が生ずるのを防止することができる。
【発明の効果】
【００１０】
本発明の遊技機の外枠は、主板とこれに当接される副板との間に凹溝状の中空部を設けたうえに、主板と副板との境界を溶接したので、高い剛性を有する。
さらに、副板を上下に２分割して主板の折り曲げ部と副板の折り曲げ部とを上下別個に当接させるので、それらの間に寸法変動による隙間が生ずるのを防止することができる。
【図面の簡単な説明】
【００１１】
【図１】本発明の遊技機の外枠の正面を示す斜視図である。
【図２】本発明の遊技機の外枠の背面を示す斜視図である。
【図３】主板と副板の斜視図である。
【図４】側板を切断して示す斜視図である。
【図５】側板の上部を示す斜視図である。
【図６】主板と副板との間に隙間が生じた側板の斜視図である。
【図７】副板を上下に分割した側板の斜視図である。
【図８】上下の副板を当接させた側板の側面図である。
【図９】別の形態の側板を示す斜視図である。
【図１０】別の形態の外枠を示す斜視図である。
【図１１】主板に凹溝部を設けた側板（ａ）と、副板に凹溝部を設けた側板（ｂ）の断面図である。
【発明を実施するための形態】
【００１２】
以下に、本発明の実施形態に付いて説明する。
【００１３】
図１は、本発明に係る遊技機の外枠の正面側の斜視図、図２はその背面側の斜視図である。図において、１は上板、２は下板、３は右側の側板、４は左側の側板である。上板１、下板２は、前記したように通常は木製である。１１は前枠を取り付けるためのヒンジ金具である。
【００１４】
側板３は、主板５と、補強用の副板６とからなる〔図３〕。主板５は、縦長の板形状の垂直部５３と、垂直部５３の上下端をコの字状に折り曲げて形成した折り曲げ部５１とで構成されている。また、主板５には、上側の折り曲げ部５１から垂直部５３さらに下側の折り曲げ部５１までの全長にわたって連続した凹溝部５２が形成されている。主板５、副板６は、冷間成形が容易なアルミニウム、鉄などの金属材料によって製造される。
【００１５】
副板６は、縦長の板形状の垂直部６４と、垂直部６４の上下端をコの字状に折り曲げて形成した折り曲げ部６１とで構成されている。副板６には、凹溝部は設けられていない。副板６の幅は凹溝部５２の幅よりやや幅広に形成されているので、副板６を主板５に当接することによって、両端が開放された箱型の中空部３１が側板３の全長にわたって形成される（図４）。
【００１６】
図５には、主板５に副板６が正常に当接された側板３の上部拡大図を示す。側板３を製造する際には、主板５の外側の側面から副板６を被せた後、両者の溶接を行う。そのため、主板５の上下の折り曲げ部５１間の外側寸法Ｌ１に対して、副板６の上下の折り曲げ部６１間の内側寸法Ｌ２はプラス公差とする必要がある。これにより、製作時の寸法誤差により副板６の内側寸法Ｌ２が、主板５の外側寸法Ｌ１より長く形成されて、下側の折り曲げ部５１、６１を当接すると、図６に示すように、上側の折り曲げ部５１，６１の間に隙間３２が形成されてしまい、折り曲げ部６１に当接された上板が折り曲げ部５１から浮いてしまって溶接が不可能になるという不具合が生ずることがある。
【００１７】
以上のような不具合を回避するためには、副板６の垂直部６４を中ほどで斜めに切断して上下に２分割する（図７）。このように斜め切断面６２をもって上下に２分割することによって、上部に隙間３２が形成された場合にも、折り曲げ部６１を下方に押圧することによって、上側の副板６の切断面６２が斜め下方にずれるので（図８）、隙間３２を解消して主板５と副板６とを正しく当接させることができる（図９）。よって、図１０に示すように、不具合のない外枠を構成することができる。
【００１８】
その後、主板５と副板６の境界をレーザーにより溶接Ｗすれば、両者が合体されて内部に中空部３１を有する外枠３を製造することができる（図１１（a））。溶接は境界全長にわたって行う。切断面６２もレーザー突合せ溶接するのが望ましい。
【００１９】
以上の実施形態においては、主板５に凹溝部５２を形成したが、図１１（ｂ）に示すように、副板６に凹溝部６３を形成することもできるし、図１１（ｃ）に示すように、主板５と副板６とにそれぞれ凹溝部５２、６３を形成することもできる。さらに、副板６の垂直部６４に代えて主板５の垂直部５３を上下に２分割するように切断面を入れてもよい。このように構成することによって、主板５の外側寸法Ｌ１が副板６の内側寸法Ｌ２より短い場合には、その誤差を吸収することができる。
【００２０】
なお、中空部３１の断面形状は、実施形態のような四角形に限定されず、三角形や湾曲形等であってもよい。また、中空部３１は、実施形態のように１本に限定されず、２本などの複数本とすることもできる。
【００２１】
本発明の外枠は、側板３，４の上下に水平な折り曲げを設けてフランジ部を一体に形成したので、従来のような上板、下板との接続部に別途フランジ部材を配設する必要はない。また、本発明の外枠は、側板３，４の全周にわたって内部に中空部３１を有するので剛性が高い。よって、より重量な遊技盤を確実に支持することができる。
【符号の説明】
【００２２】
３、４  側板、５  主板、６  副板、５１  主板の折り曲げ部、５２  凹溝部、５３  主板の垂直部、６１  副板の折り曲げ部、６２  斜め切断面、６４副板の垂直部
【図１】
2012200372.tif 000003
【図２】
2012200372.tif 000004
【図３】
2012200372.tif 000005
【図４】
2012200372.tif 000006
【図５】
2012200372.tif 000007
【図６】
2012200372.tif 000008
【図７】
2012200372.tif 000009
【図８】
2012200372.tif 000010
【図９】
2012200372.tif 000011
【図１０】
2012200372.tif 000012
【図１１】
2012200372.tif 000013